(57)【特許請求の範囲】
【請求項１】
公共の領域を撮像領域に含むように設置されたカメラによって撮像された画像である撮像画像を送信する装置と通信する画像蓄積システムであって、
前記撮像画像を、特定の権限を有するユーザのみによって閲覧可能に蓄積する第一蓄積部と、
生体の存在又は行動により変化する状態を表す情報である検知情報に基づいて、前記撮像画像のうち、前記特定の権限を有さないユーザである個人ユーザが閲覧してもよい画像が撮像されているタイミングを判定するタイミング判定部と、
前記撮像画像の中から、前記タイミングによって定まる所定の時間幅に属する画像を部分画像として取得する画像取得部と、
前記画像取得部によって取得された前記部分画像を、前記個人ユーザによって閲覧可能に蓄積する第二蓄積部と、
を備える画像蓄積システム。
【請求項２】
前記タイミング判定部は、前記カメラが設置された施設に接近又は訪問する生体が前記カメラによって撮影されたと推定されるタイミングを前記タイミングとして判定する、請求項１に記載の画像蓄積システム。
【請求項３】
前記タイミング判定部は、前記カメラが設置された施設に接近又は訪問する人物の存在を示す検知情報が得られた時刻を基準として所定の幅を有したタイミングである、請求項２に記載の画像蓄積システム。
【請求項４】
前記第一蓄積部は、セキュアな通信経路で受信された前記撮像画像を、特定の権限を有するユーザのみによって閲覧可能に蓄積する、請求項１から３のいずれか一項に記載の画像蓄積システム。
【請求項５】
公共の領域を撮像領域に含むように設置されたカメラによって撮像された画像である撮像画像を送信する装置と通信する画像蓄積システムが行う画像蓄積方法であって、
前記撮像画像を、特定の権限を有するユーザのみによって閲覧可能に蓄積する第一蓄積ステップと、
生体の存在又は行動により変化する状態を表す情報である検知情報に基づいて、前記撮像画像のうち、前記特定の権限を有さないユーザである個人ユーザが閲覧してもよい画像が撮像されているタイミングを判定するタイミング判定ステップと、
前記撮像画像の中から、前記タイミングによって定まる所定の時間幅に属する画像を部分画像として取得する画像取得ステップと、
前記画像取得ステップにおいて取得された前記部分画像を、前記個人ユーザによって閲覧可能に蓄積する第二蓄積ステップと、
を有する画像蓄積方法。
【請求項６】
公共の領域を撮像領域に含むように設置されたカメラによって撮像された画像である撮像画像を送信する装置と通信する画像蓄積システムとしてコンピュータを機能させるためのコンピュータプログラムであって、
前記撮像画像を、特定の権限を有するユーザのみによって閲覧可能に蓄積する第一蓄積ステップと、
生体の存在又は行動により変化する状態を表す情報である検知情報に基づいて、前記撮像画像のうち、前記特定の権限を有さないユーザである個人ユーザが閲覧してもよい画像が撮像されているタイミングを判定するタイミング判定ステップと、
前記撮像画像の中から、前記タイミングによって定まる所定の時間幅に属する画像を部分画像として取得する画像取得ステップと、
前記画像取得ステップにおいて取得された前記部分画像を、前記個人ユーザによって閲覧可能に蓄積する第二蓄積ステップと、
をコンピュータに実行させるためのコンピュータプログラム。
【発明の詳細な説明】
【技術分野】
【０００１】
本発明は、カメラによって撮像された画像を蓄積する技術に関する。
【背景技術】
【０００２】
犯罪対策として、近年防犯カメラが普及してきている。主に市区町村等の公共団体や商店街組合が防犯カメラの費用を負担することによって、公道を含む監視画像を常時録画している。このような防犯カメラの普及は、犯罪の発生を抑止し、万が一犯罪が発生した場合であっても犯人特定に役立っている。
【０００３】
しかし、防犯カメラの設置及び維持には多大なコストを要する。そのため、防犯カメラの配置エリアは商業地域などの人口密集地に限定されてしまっており、住宅地への配置は進んでいない。このような問題に対し、個々人の住宅に設置されているカメラによって撮影された画像を公共の防犯カメラの画像として活用する技術が提案されている（例えば特許文献１参照）。
【先行技術文献】
【特許文献】
【０００４】
【特許文献１】特開２０１２−０４８３５０号公報
【発明の概要】
【発明が解決しようとする課題】
【０００５】
しかしながら、カメラによる撮影には法的な問題が伴う。住宅地においては、所有者が敷地内を撮影することについては問題は無いが、公道などの敷地以外の場所を撮影することに関しては、プライバシー保護の観点から制約が生じる。そのため、個々人の住宅に設置されているカメラによって撮影された画像を公共の防犯カメラの画像として活用しようとすると、敷地の所有者によって個人的に用いられることを目的とした画像と、公共の防犯カメラの画像として用いられることを目的とした画像とを別々に生成する必要が生じる。その上で、別々に生成された画像を、それぞれの画像を記録するサーバに送信する必要があった。そのため、画像に関する処理量や通信量が増大してしまうという問題があった。
【０００６】
上記事情に鑑み、本発明は、上述したような画像に関する処理量又は通信量の軽減を可能にする技術の提供を目的としている。
【課題を解決するための手段】
【０００７】
本発明の一態様は、公共の領域を撮像領域に含むように設置されたカメラによって撮像された画像である撮像画像を送信する装置と通信する画像蓄積システムであって、前記撮像画像を、特定の権限を有するユーザのみによって閲覧可能に蓄積する第一蓄積部と、生体の存在又は行動により変化する状態を表す情報である検知情報に基づいて、前記撮像画像のうち、前記特定の権限を有さないユーザである個人ユーザが閲覧してもよい画像が撮像されているタイミングを判定するタイミング判定部と、前記撮像画像の中から、前記タイミングによって定まる所定の時間幅に属する画像を部分画像として取得する画像取得部と、前記画像取得部によって取得された前記部分画像を、前記個人ユーザによって閲覧可能に蓄積する第二蓄積部と、を備える画像蓄積システムである。
【０００８】
本発明の一態様は、上記の画像蓄積システムであって、前記タイミング判定部は、前記カメラが設置された施設に接近又は訪問する生体が前記カメラによって撮影されたと推定されるタイミングを前記タイミングとして判定する。
【０００９】
本発明の一態様は、上記の画像蓄積システムであって、前記タイミング判定部は、前記カメラが設置された施設に接近又は訪問する人物の存在を示す検知情報が得られた時刻を基準として所定の幅を有したタイミングである。
本発明の一態様は、上記の画像蓄積システムであって、前記第一蓄積部は、セキュアな通信経路で受信された前記撮像画像を、特定の権限を有するユーザのみによって閲覧可能に蓄積する。
【００１０】
本発明の一態様は、公共の領域を撮像領域に含むように設置されたカメラによって撮像された画像である撮像画像を送信する装置と通信する画像蓄積システムが行う画像蓄積方法であって、前記撮像画像を、特定の権限を有するユーザのみによって閲覧可能に蓄積する第一蓄積ステップと、生体の存在又は行動により変化する状態を表す情報である検知情報に基づいて、前記撮像画像のうち、前記特定の権限を有さないユーザである個人ユーザが閲覧してもよい画像が撮像されているタイミングを判定するタイミング判定ステップと、前記撮像画像の中から、前記タイミングによって定まる所定の時間幅に属する画像を部分画像として取得する画像取得ステップと、前記画像取得ステップにおいて取得された前記部分画像を、前記個人ユーザによって閲覧可能に蓄積する第二蓄積ステップと、を有する画像蓄積方法である。
【００１１】
本発明の一態様は、公共の領域を撮像領域に含むように設置されたカメラによって撮像された画像である撮像画像を送信する装置と通信する画像蓄積システムとしてコンピュータを機能させるためのコンピュータプログラムであって、前記撮像画像を、特定の権限を有するユーザのみによって閲覧可能に蓄積する第一蓄積ステップと、生体の存在又は行動により変化する状態を表す情報である検知情報に基づいて、前記撮像画像のうち、前記特定の権限を有さないユーザである個人ユーザが閲覧してもよい画像が撮像されているタイミングを判定するタイミング判定ステップと、前記撮像画像の中から、前記タイミングによって定まる所定の時間幅に属する画像を部分画像として取得する画像取得ステップと、前記画像取得ステップにおいて取得された前記部分画像を、前記個人ユーザによって閲覧可能に蓄積する第二蓄積ステップと、をコンピュータに実行させるためのコンピュータプログラムである。
【発明の効果】
【００１２】
本発明により、画像に関する処理量又は通信量を軽減することが可能となる。
【図面の簡単な説明】
【００１３】
【図１】画像蓄積システム１のシステム構成の概略を示すシステム構成図である。
【図２】画像蓄積システム１において撮像画像データが蓄積される際の処理の流れを示すシーケンスチャートである。
【図３】画像蓄積システム１において部分画像データが蓄積される際の処理の流れを示すシーケンスチャートである。
【発明を実施するための形態】
【００１４】
図１は、画像蓄積システム１のシステム構成の概略を示すシステム構成図である。画像蓄積システム１は、入力装置１００、カメラ２００、端末装置３００、通信装置４００、第一画像蓄積サーバ５００及び第二画像蓄積サーバ６００を備える。
【００１５】
入力装置１００、カメラ２００、端末装置３００及び通信装置４００は、ローカルエリアネットワークＮ１を介して通信可能に接続される。入力装置１００、カメラ２００、端末装置３００及び通信装置４００の各装置は、一つの画像蓄積システム１に複数台設けられてもよい。例えば、図１に示すシステム構成例では入力装置１００が複数台（２台）設けられている。ローカルエリアネットワークＮ１は、無線通信のネットワークであってもよいし、有線通信のネットワークであってもよい。
【００１６】
通信装置４００、第一画像蓄積サーバ５００及び第二画像蓄積サーバ６００は、広域ネットワークＮ２を介して通信可能に接続される。第一画像蓄積サーバ５００及び第二画像蓄積サーバ６００の各装置は、一つの画像蓄積システム１に複数台設けられてもよい。広域ネットワークＮ２は、３Ｇネットワークのように無線通信を用いたネットワークであってもよいし、有線通信のみを用いたネットワークであってもよい。
【００１７】
入力装置１００は、生体（例えば人間）の存在や行動により変化する状態を表す情報（以下、「検知情報」という。）を取得する。入力装置１００は、例えばドアの開閉を検知するセンサであってもよい。この場合、入力装置１００は、ドアを開ける又は閉めるという生体の行動により変化するドアの開閉状態を表す検知情報を取得する。入力装置１００は、インターホン（intercom）であってもよい。この場合、入力装置１００は、来訪者（生体）が室外装置を操作することによって生じる操作部（例えばボタン）の変化を検知するセンサであってもよい。また、入力装置１００は、来訪者（生体）の存在により変化する赤外線の値や撮像画像の状態を表す情報を取得する人感センサであってもよい。すなわち、入力装置１００は、所定の領域における人物を検出するセンサであってもよい。入力装置１００は、取得された検知情報をカメラ２００に送信する。
【００１８】
カメラ２００は、通信部２０１、撮像部２０２、タイミング判定部２０３及び制御部２０４を備える。カメラ２００は、例えば防犯カメラとして構成されてもよい。カメラ２００は、例えばインターホンに備えられたカメラ（来訪者を撮像するカメラ）として構成されてもよい。
【００１９】
通信部２０１は、ローカルエリアネットワークＮ１、通信装置４００及び広域ネットワークＮ２を介して、第一画像蓄積サーバ５００と通信する。通信部２０１は、ローカルエリアネットワークＮ１を介して入力装置１００、端末装置３００及び通信装置４００と通信する。
【００２０】
撮像部２０２は、カメラを用いて構成される。撮像部２０２は、カメラ２００が撮像することを予定されている領域（以下「撮像領域」という。）を撮像し、撮像された画像（以下、「撮像画像」という。）を表すデータ（以下、「撮像画像データ」という。）を生成する。撮像領域には、公道など公共の領域が含まれている。撮像部２０２は、生成された撮像画像データを制御部２０４に出力する。撮像画像データは、静止画像のデータであってもよいし、動画像のデータであってもよい。撮像領域は、入力装置１００が検出する状態の変化に起因する生体を撮像できるように設定される。
【００２１】
タイミング判定部２０３は、入力装置１００から送信される検知情報に基づいて、カメラ２００の所有者又は設置者である個人ユーザが閲覧してもよい画像（以下、「部分画像」という。）が撮像されているタイミングを判定する。部分画像が撮像されているタイミングとは、例えばカメラ２００が設置された施設（例えば、住宅、ビル、駐車場、遊園地など）に接近又は訪問する生体（特に人間）が撮影されたと推定されるタイミングである。部分画像が撮像されているタイミングとは、例えばカメラ２００が設置された施設のセキュリティを維持するために必要な画像が撮像されていると推定されるタイミングである。部分画像が撮像されているタイミングとは、より具体的には、人物の存在を示す検知情報が得られた時刻を基準として所定の幅を有したタイミングである。タイミング判定部２０３は、判定結果を示す情報（以下、「識別情報」という。）を生成し、生成された識別情報を制御部２０４に出力する。
【００２２】
入力装置１００から取得される検知情報がドアの開閉状態を表す情報である場合、タイミング判定部２０３は、ドアが開いたことが検出された時点の前後の所定の時間を、部分画像が撮像されているタイミングであると判定してもよい。なお、ドアが開く前の所定の時間と、ドアが開いた後の所定の時間とは同じ長さであってもよいし異なる長さであってもよい。入力装置１００から取得される検知情報がインターホンの室外装置の操作部の操作を表す情報である場合、タイミング判定部２０３は、操作がなされた時点から所定の時間を、部分画像が撮像されているタイミングであると判定してもよい。入力装置１００から取得される検知情報が人感センサによる情報である場合、タイミング判定部２０３は、人物が検出された時点から所定の時間又は人物が検出された時点の前後の所定の時間を、部分画像が撮像されているタイミングであると判定してもよい。なお、人物が検出される前の所定の時間と、人物が検出された後の所定の時間とは同じ長さであってもよいし異なる長さであってもよい。
【００２３】
制御部２０４は、撮像部２０２から出力された撮像画像データに対して、カメラ２００を示す識別情報（以下、「カメラＩＤ」という。）と、撮像された日時を表す日時情報と、を付与する。制御部２０４は、通信部２０１を介して、識別情報及び日時情報が付与された撮像画像データを第一画像蓄積サーバ５００に送信する。制御部２０４は、撮像画像データを送信する際には、セキュアな通信経路を用いる。セキュアな通信経路として、例えば、ＳＳＬ（Secure Sockets Layer）、ＴＬＳ（Transport Layer Security）のように暗号化通信方式を用いた通信（例えばＶＰＮ：Virtual Private Network）が適用されてもよい。セキュアな通信経路として、例えば専用線のように物理的に他の通信と切り離された通信が適用されてもよい。このように撮像画像データが送信されるため、たとえカメラ２００の設置者や所有者であっても、撮像画像を閲覧することはできない。制御部２０４は、タイミング判定部２０３から出力された識別情報に対して、カメラ２００を示すカメラＩＤを付与する。制御部２０４は、通信部２０１を介して、カメラＩＤが付与された識別情報を第一画像蓄積サーバ５００に送信する。
【００２４】
カメラ２００は、撮像画像データが個人ユーザによって取得されないように構成される。言い換えると、カメラ２００は、撮像画像が個人ユーザによって閲覧されないように構成される。
【００２５】
端末装置３００は、パーソナルコンピュータ、スマートフォン、タブレット等の通信可能な情報処理装置である。端末装置３００は、入力装置及び表示装置を備える。端末装置３００は、入力装置に対するユーザの操作に応じて、第二画像蓄積サーバ６００から部分画像のデータ（以下、「部分画像データ」という。）を取得する。端末装置３００は、取得された部分画像データを表示することによって、部分画像をユーザに対して閲覧可能に提示する。なお、端末装置３００と第二画像蓄積サーバ６００との間の通信経路は、セキュアに構成されてもよいし、セキュアに構成されなくてもよい。
【００２６】
通信装置４００は、ローカルエリアネットワークＮ１と広域ネットワークＮ２との間でデータを送受信する。通信装置４００は、例えばルータやホームゲートウェイ等の装置である。
【００２７】
第一画像蓄積サーバ５００は、メインフレームやワークステーションやパーソナルコンピュータなどの情報処理装置を用いて構成される。第一画像蓄積サーバ５００は、バスで接続されたＣＰＵ（Central Processing Unit）やメモリや補助記憶装置などを備え、第一画像蓄積プログラムを実行することによって、通信部５０１、蓄積制御部５０２、蓄積部５０３及び画像取得部５０４を備える装置として機能する。なお、通信部５０１、蓄積制御部５０２、蓄積部５０３及び画像取得部５０４の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。第一画像蓄積プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。第一画像蓄積プログラムは、電気通信回線を介して送信されても良い。
【００２８】
第一画像蓄積サーバ５００は、公的な組織（例えば、国、地方公共団体など）によって管理されるサーバである。第一画像蓄積サーバ５００に蓄積される撮像画像は、公的な組織によって特定の権限を与えられた者だけが閲覧可能となるように管理される。そのため、原則として、個人ユーザは端末装置３００を操作することによって撮像画像を第一画像蓄積サーバ５００から取得する事はできない。
【００２９】
通信部５０１は、広域ネットワークＮ２を介して第二画像蓄積サーバ６００と通信する。通信部５０１は、広域ネットワークＮ２、通信装置４００及びローカルエリアネットワークＮ１を介して、カメラ２００と通信する。
【００３０】
蓄積制御部５０２は、通信部５０１を介してカメラ２００から受信された撮像画像データをカメラＩＤ及び日時情報と対応付けて蓄積部５０３に記録する。
【００３１】
蓄積部５０３は、ハードディスク装置や半導体記憶装置等の記憶装置を用いて構成される。蓄積部５０３は、撮像画像データをカメラＩＤ及び日時情報とを対応付けて記憶する。蓄積部５０３は、公的な組織によって特定の権限を与えられた者だけが閲覧可能となるように撮像画像データを蓄積する。
【００３２】
画像取得部５０４は、通信部５０１を介してカメラ２００から受信された識別情報に基づいて、蓄積部５０３に記録されている撮像画像データの中から部分画像データとして取得可能な画像を判定する。画像取得部５０４は、例えば、識別情報に含まれるカメラＩＤ及びタイミングに一致する撮像画像データを、部分画像データとして取得可能な画像であると判定する。画像取得部５０４は、判定された画像のデータを部分画像データとして取得する。画像取得部５０４は、取得された部分画像データに対し、カメラＩＤ及び日時情報を付与する。画像取得部５０４は、カメラＩＤ及び日時情報が付与された部分画像データを、通信部５０１を介して第二画像蓄積サーバ６００に送信する。
【００３３】
第二画像蓄積サーバ６００は、メインフレームやワークステーションやパーソナルコンピュータなどの情報処理装置を用いて構成される。第二画像蓄積サーバ６００は、バスで接続されたＣＰＵやメモリや補助記憶装置などを備え、第二画像蓄積プログラムを実行することによって、通信部６０１、蓄積制御部６０２及び蓄積部６０３を備える装置として機能する。なお、通信部６０１、蓄積制御部６０２及び蓄積部６０３の各機能の全て又は一部は、ＡＳＩＣやＰＬＤやＦＰＧＡ等のハードウェアを用いて実現されても良い。第二画像蓄積プログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ）等の可搬媒体、コンピュータシステムに内蔵されるハードディスクや半導体記憶装置等の記憶装置である。第二画像蓄積プログラムは、電気通信回線を介して送信されても良い。
【００３４】
第二画像蓄積サーバ６００は、一般的な法人や個人によって管理されるサーバである。第二画像蓄積サーバ６００に蓄積される部分画像は、公的な組織によって権限を与えられた者でなくとも閲覧可能となるように管理される。そのため、原則として、個人ユーザは端末装置３００を操作することによって部分画像を第二画像蓄積サーバ６００から取得する事が可能である。
【００３５】
通信部６０１は、広域ネットワークＮ２を介して第一画像蓄積サーバ５００と通信する。通信部６０１は、広域ネットワークＮ２、通信装置４００及びローカルエリアネットワークＮ１を介して、端末装置３００と通信する。
【００３６】
蓄積制御部６０２は、通信部６０１を介して第一画像蓄積サーバ５００から受信された部分画像データをカメラＩＤ及び日時情報と対応付けて蓄積部６０３に記録する。蓄積制御部６０２は、端末装置３００から部分画像データの取得について要求を受けると、端末装置３００のユーザが閲覧の権限を有している部分画像データを蓄積部６０３から読み出す。そして、蓄積制御部６０３は、読み出された部分画像データを端末装置３００に送信する。
【００３７】
蓄積部６０３は、ハードディスク装置や半導体記憶装置等の記憶装置を用いて構成される。蓄積部６０３は、部分画像データをカメラＩＤ及び日時情報とを対応付けて記憶する。
【００３８】
図２は、画像蓄積システム１において撮像画像データが蓄積される際の処理の流れを示すシーケンスチャートである。まず、カメラ２００の撮像部２０２が撮像領域を撮像する（ステップＳ１０１）。カメラ２００の制御部２０４は、撮像画像データをセキュアな通信経路で第一画像蓄積サーバ５００に送信する（ステップＳ１０２）。第一画像蓄積サーバ５００の蓄積制御部５０２は、受信された撮像画像データを蓄積部５０３に記録する（ステップＳ１０３）。
【００３９】
図３は、画像蓄積システム１において部分画像データが蓄積される際の処理の流れを示すシーケンスチャートである。まず、入力装置１００が検知情報を取得する（ステップＳ２０１）。入力装置１００は、取得された検知情報をカメラ２００に送信する（ステップＳ２０２）。カメラ２００のタイミング判定部２０３は、受信された検知情報に基づいてタイミング判定処理を行う（ステップＳ２０３）。タイミング判定部２０３は、タイミング判定処理の結果として識別情報を取得する。制御部２０４は、識別情報を第一画像蓄積サーバ５００に送信する（ステップＳ２０４）。第一画像蓄積サーバ５００の画像取得部５０４は、蓄積部５０３に蓄積されている撮像画像データの中から、識別情報に応じた画像を部分画像データとして取得する（ステップＳ２０５）。画像取得部５０４は、取得された部分画像データを第二画像蓄積サーバ６００に送信する（ステップＳ２０６）。第二画像蓄積サーバ６００の蓄積制御部６０２は、受信された部分画像データを蓄積部６０３に記録する（ステップＳ２０７）。
【００４０】
このように構成された画像蓄積システム１では、個人ユーザが有するカメラ２００によって撮像された撮像画像が、カメラ２００の所有者である個人ユーザによって閲覧不可能に第一画像蓄積サーバ５００に蓄積される。このような撮像画像を、公共の防犯カメラによって撮像された画像として用いることによって、公共の防犯カメラの設置に要するコストや労力を軽減しつつ防犯水準の維持や向上を図ることが可能となる。また、カメラ２００の所有者を含む個人ユーザは、撮像画像を閲覧することができない。そのため、撮像画像が公共の領域（例えば公道）を撮像領域に含んでいるとしても、そのことによる法的な問題を解消することが可能となる。また、撮像画像のうち、所定のタイミングで撮像された画像は部分画像として第二画像蓄積サーバ６００に蓄積される。第二画像蓄積サーバ６００に蓄積された部分画像は、個人ユーザであっても閲覧可能に管理される。そのため、個人ユーザは、来訪者や個人宅に侵入した者などの画像を部分画像として閲覧することが可能となる。なお、一般的には、個人ユーザはこのような画像を閲覧することを目的としてカメラ２００を設置する。そのため、個人ユーザは撮像画像を閲覧できないとしても、部分画像を閲覧することでカメラ２００の設置目的を果たすことが可能となる。したがって、個人ユーザがカメラ２００を設置することの意欲を減衰させずに、撮像画像を取得する事が可能となる。
【００４１】
（変形例）
画像蓄積システム１では、カメラ２００によって撮像された撮像画像データが特定の権限を有する者以外に取得されないように構成されていれば、撮像画像データの通信経路が上記の例に限定される必要は無い。
【００４２】
例えば、カメラ２００は、セキュアな通信経路を用いて第二画像蓄積サーバ６００に撮像画像データを送信してもよい。この場合、各装置は例えば以下のように構成される。カメラ２００は、識別情報を第二画像蓄積サーバ６００に送信する。第二画像蓄積サーバ６００は、画像取得部５０４に相当する構成を備える。第二画像蓄積サーバ６００の画像取得部５０４は、識別情報に基づいて部分画像を取得し、蓄積部６０３に記録する。画像取得部５０４は、全ての撮像画像のデータを、セキュアな通信経路で第一画像蓄積サーバ５００に送信する。第二画像蓄積サーバ６００は、特定の権限を有する者以外の者が撮像画像データを取得できないように構成される必要がある。
【００４３】
識別情報は、カメラ２００から第一画像蓄積サーバ５００に直接送信される必要は無い。例えば、カメラ２００は、識別情報を第二画像蓄積サーバ６００に送信してもよい。この場合、例えば第二画像蓄積サーバ６００は、受信された識別情報を第一画像蓄積サーバ５００に送信してもよい。
【００４４】
タイミング判定部２０３に相当する構成は、必ずしもカメラ２００に備えられる必要は無い。例えば、タイミング判定部２０３に相当する構成は、入力装置１００に備えられてもよい。例えば、タイミング判定部２０３に相当する構成は、第一画像蓄積サーバ５００に備えられてもよい。この場合、入力装置１００は、検知情報をカメラ２００ではなく第一画像蓄積サーバ５００に送信してもよい。
【００４５】
タイミング判定部２０３が判定するタイミングの判定条件は、第一画像蓄積サーバ５００の管理者（特定の権限を有するユーザ、公的な組織）や、カメラ２００の設置者や管理者によって適宜変更されてもよい。この場合、例えばローカルエリアネットワークＮ１や広域ネットワークＮ２を介して遠隔地から変更が行われてもよい。
【００４６】
タイミング判定部２０３が判定するタイミングの判定条件には、部分画像を閲覧する複数のユーザ毎に異なる条件が設定されてもよい。このように構成されることによって、例えば施設の管理会社（例えばマンションの管理会社）はより長く設定された時間幅の部分画像を閲覧し、個人のユーザ（例えばマンションの住人）はより限られた部分画像のみを閲覧できるようにすることが可能となる。
端末装置３００は、必ずしもローカルエリアネットワークＮ１に接続されている必要は無い。端末装置３００は、広域ネットワークＮ２を介して第二画像蓄積サーバ６００と通信可能であれば、どのようなネットワークに接続されてもよい。
【００４７】
以上、この発明の実施形態について図面を参照して詳述してきたが、具体的な構成はこの実施形態に限られるものではなく、この発明の要旨を逸脱しない範囲の設計等も含まれる。
【符号の説明】
【００４８】
１…画像蓄積システム，  １００…入力装置，  ２００…カメラ，  ２０１…通信部，  ２０２…撮像部，  ２０３…タイミング判定部，  ２０４…制御部，  ３００…端末装置，  ４００…通信装置，  ５００…第一画像蓄積サーバ，  ５０１…通信部，  ５０２…蓄積制御部，  ５０３…蓄積部，  ５０４…画像取得部，  ６００…第二画像蓄積サーバ，  ６０１…通信部，  ６０２…蓄積制御部，  ６０３…蓄積部
【図１】
0006509092.tif 000002
【図２】
0006509092.tif 000003
【図３】
0006509092.tif 000004